(57)【要約】      （修正有）【課題】引出し可能な収納部の利用性を他の収納スペースを少なくすることなく向上することができる収納家具の構造を提供する。【解決手段】スライド板１７を第二の家電収納部５から外側に引出した状態で、第二の家電収納部５の開口部１３を形成する底板の前縁部とスライド板１７の第二の家電収納部５側の縁部との間に送り代２２が形成される様にすることによってスライド板１７上に載置された家電製品１８の蓋２３を全開放した状態でも蓋２３と天板９の開口部側縁部９ａとが干渉することを防止することができ、同時に第二の家電収納部５の高さ方向内寸法を必要最小限に押さえることができる。【選択図】図３
0003159329.tif 000002
【実用新案登録請求の範囲】
【請求項１】
収納家具本体から引出し可能な収納部の収納家具本体内側における移動可能長さよりも、収納家具本体外側における移動可能長さが大にされてなることを特徴とする収納家具の構造。
【請求項２】
収納家具本体から引出し可能な収納部を収納家具本体から外側に引出した状態で、収納家具本体の縁部と収納部の縁部との間に送り代が形成されることを特徴とする収納家具の構造。
【請求項３】
家電収納部の内側から外側に引出し可能なスライド板が設けられ、スライド板の家電収納部内側における移動可能長さよりも、家電収納部外側における移動可能長さが大にされてなることを特徴とする収納家具の構造。
【請求項４】
家電収納部の内側から外側に引出し可能なスライド板が設けられ、スライド板を家電収納部から外側に引出した状態で、家電収納部の開口部縁部とスライド板の家電収納部側の縁部との間に送り代が形成されることを特徴とする収納家具の構造。
【請求項５】
引出し収納部の内側から外側に引出し可能な引出しが設けられ、引出しを引出し収納部から外側に引出した状態で、引出し収納部の開口部縁部と引出しの引出し収納部側の縁部との間に送り代が形成されることを特徴とする収納家具の構造。
【考案の詳細な説明】
【技術分野】
【０００１】
本考案は、家電製品を収納することができるリビングボードやキッチンボード等の収納家具の構造に関し、特に炊飯ジャーや保温ポットを収納することができるリビングボードやキッチンボード等の収納家具の構造に関する。
【背景技術】
【０００２】
炊飯器等の使用時に蒸気の出る家電製品を収納する収納家具として炊飯器の収納部を引出自在に設けたキッチンボードの使い勝手を向上させることを目的として、仕切り体において前後方向に開口する物品の収容空間を有する物品収容部に物品のスライド板が外側に引出し可能に設けられたキッチンボードが提案されている（特許文献１）。
【０００３】
この特許文献１に示すキッチンボードでは、キッチンで炊飯ジャーやジャーポットなどの物品をスライド板に載置して外側に引き出させることにより、人が物品を持ち運ぶ距離を最小限に抑え、能率よく物品の移動を行うことができ、使い勝手が向上している。
【先行技術文献】
【特許文献】
【０００４】
【特許文献１】特開２００２−１０１９７９号公報
【考案の概要】
【考案が解決しようとする課題】
【０００５】
図１０に示す様に従来のキッチンボード１では、家電収納部５のスライド板１７上に載置された炊飯ジャーなどの家電製品１８の蓋２３を全開放すると、蓋２３と天板９の開口部側縁部９ａとが干渉し、家電製品１８の蓋２３を全開放し難いという不都合があった。
一方、図１１に示す様にキッチンボード１の家電収納部５の高さ方向内寸法を大きくして家電製品１８の蓋２３と天板９の開口部側縁部９ａとが干渉しない様にした場合には、家電収納部５内側に無駄なスペースが生じると共に下部収納ユニット２や上部収納ユニット３等の他の収納スペースが小さくなり、また少なくなる。
【０００６】
すなわち従来のキッチンボード１では、引出し可能な収納部を構成する家電収納部５の利用性が天板９の存在によって低下し、これを避けようとすると家電収納部に無駄なスペースが生じ、また他の収納スペースが少なくなるという問題があった。
【０００７】
本考案は、以上の従来技術における問題に鑑み、引出し可能な収納部の利用性を他の収納スペースを少なくすることなく向上することができる収納家具の構造を提供することを目的とする。
【課題を解決するための手段】
【０００８】
本発明の収納家具の構造は、収納家具本体から引出し可能な収納部の収納家具本体内側における移動可能長さよりも、収納家具本体外側における移動可能長さが大にされてなることを特徴とする。
【０００９】
また本発明の収納家具の構造は、収納家具本体から引出し可能な収納部を収納家具本体から外側に引出した状態で、収納家具本体の縁部と収納部の縁部との間に送り代が形成されることを特徴とする。
【００１０】
また本発明の収納家具の構造は、家電収納部の内側から外側に引出し可能なスライド板が設けられ、スライド板の家電収納部内側における移動可能長さよりも、家電収納部外側における移動可能長さが大にされてなることを特徴とする。
【００１１】
また本発明の収納家具の構造は、家電収納部の内側から外側に引出し可能なスライド板が設けられ、スライド板を家電収納部から外側に引出した状態で、家電収納部の開口部縁部とスライド板の家電収納部側の縁部との間に送り代が形成されることを特徴とする。
【００１２】
また本発明の収納家具の構造は、引出し収納部の内側から外側に引出し可能な引出しが設けられ、引出しを引出し収納部から外側に引出した状態で、引出し収納部の開口部縁部と引出しの引出し収納部側の縁部との間に送り代が形成されることを特徴とする。
【考案の効果】
【００１３】
本考案の収納家具の構造によれば、引出し可能な収納部の利用性を向上することができる。
【図面の簡単な説明】
【００１４】
【図１】本考案の一実施の形態の収納家具の構造を有するキッチンボードの正面図である。
【図２】図１に示すキッチンボードの内側部を示す正面図である
【図３】図１に示すキッチンボードの側部縦断面図である。
【図４】図１に示すキッチンボードの部品の（ａ）平面図、（ｂ）背面図、（ｃ）側面図（ｄ）Ａ−Ａ断面図である。
【図５】図１に示すキッチンボードの部分平面図であり、（ａ）一の状態を示す平面図、（ｂ）他の状態を示す平面図である。
【図６】本考案の他の実施の形態のキッチンボードの正面図である。
【図７】図６に示すキッチンボードの側部縦断面図である。
【図８】図６に示すキッチンボードの部分平面図であり、（ａ）一の状態を示す平面図、（ｂ）他の状態を示す平面図である。
【図９】従来のキッチンボードの側部縦断面図である。
【図１０】従来のキッチンボードの側部縦断面図である。
【図１１】他の従来のキッチンボードの側部縦断面図である。
【考案を実施するための形態】
【００１５】
以下に本考案の収納家具の構造の一実施の形態のキッチンボードの構造を詳細に説明する。なお、以下の実施の形態の説明にあっては、従来と同一若しくは対応する部分は同一符号を用いて説明する。
図１は、本考案実施の形態のキッチンボードの正面図であり、図２はその内側部を示す正面図である。また図３はその内側部を示す側部縦断面図である。
キッチンの床Ｆ上に据え置かれる収納家具本体であるキッチンボード１は、床Ｆ側に下部収納ユニット２を有し、上方の天井側に上部収納ユニット３を備える。
【００１６】
下部収納ユニット２は上下二段の引出し式とされ、一方上部収納ユニット３は開閉扉３ａを備える開閉式とされる。
下部収納ユニット２と上部収納ユニット３との間には第一の家電収納部４と、第二の家電収納部５が設けられる。第一の家電収納部４は底板６および左右の両側板７及び最奥部の背面板８によって区画されて形成される。この第一の家電収納部４は、背面板８内側面の対向面がキッチン方向に開口した箱状にされてなる。
【００１７】
第二の家電収納部５は人体の腰程度の人の手が届きやすい位置に設けられて、第一の家電収納部４の底板６を天板９とし、底板１０及び第一の家電収納部４の左右の両側板７と一連の両側板１１及び第一の家電収納部４と一連の最奥部の背面板１２を備える。また、第一の家電収納部４と同様に背面板１２内側面の対向面をキッチン方向への開口部１３とする箱状にされてなる。なお第二の家電収納部５において背面板１２の内側面には２口の電気コンセント１４が設けられている。
【００１８】
図２に示す様に第二の家電収納部５の下部左右両側板１１内側面には三段引きレール１５が取り付けられ、その左右の三段引きレール１５に、摺動自在に装着した左右のスライド治具１６にスライド板１７が取り付けられる。その結果、図３に示す様に、スライド板１７は左右の三段引きレール１５におけるスライド治具１６の摺動方向にスライド自在で、炊飯ジャーや保温ポットなどの家電製品１８を載せて第二の家電収納部５からキッチンＫ方向に引出し可能な収納部とされる。
家電製品１８を第二の家電収納部５に収納する際には、スライド板１７をキッチンＫ側に引出し、家電製品１８をスライド板１７上に載置し、スライド板１７を第二の家電収納部５の内部に押し込むことによって、スライド板１７と共に家電製品１８を第二の家電収納部５に収納することができる。
【００１９】
図４に示す様に、三段引きレール１５は第二の家電収納部５の下部左右両側板１１内側面に直接固設される第１レール１９と、その第１レール１９にスライド自在に装着される第２レール２０と、その第２レール２０にスライド自在に装着されるスライド治具１６とからなる。
【００２０】
第１レール１９には弾性ストッパ２１が端部内側に固設され、第２レール２０は第１レール１９内側において弾性ストッパ２１と弾性ストッパ２１が固設された第１レール１９の一端部１９ａとは反対側の他端部１９ｂ間をスライドする。
スライド治具１６は、その一端部１６ａが第１レール１９に固設された弾性ストッパ２１に当接可能とされ、その一端部１６ａが弾性ストッパ２１から離反すると同時にスライド治具１６の他端部１６ｂが第１レール１９の他端部１９ｂから離反する方向に第２レール２０内側においてスライドする。
【００２１】
以上の本実施の形態のキッチンボード１に用いられる三段引きレール１５では、図４に示す様に、第１レール１９内側において第２レール２０をスライドさせ、第２レール２０内側においてスライド治具１６をスライドさせた最大長の状態で、第１レール１９の一端部１９ａと他端部１９ｂとの間隔Ｓ１と、その他端部１９ｂとスライド治具１６の他端部１６ｂとの間隔Ｓ２が、Ｓ２＞Ｓ１とされる。さらには第１レール１９の一端部１９ａとスライド治具１６の他端部１６ｂとの間隔Ｓ３との関係は、Ｓ３＞２×Ｓ１とされる。
間隔Ｓ２と間隔Ｓ１との差（Ｓ２−Ｓ１）は一義的には決定されず、実施の態様によって適宜決定され、通常は２０〜３０ｍｍとされる。
【００２２】
図５（ａ）はスライド板１７を第二の家電収納部５の内部に押し込んだ状態を示し、図５（ｂ）はスライド板１７をキッチンＫ側に引出した状態を示す。
三段引きレール１５が図４に示す様に構成される結果、本実施の形態のキッチンボード１では、図３及び図５に示す様に、スライド板１７の第二の家電収納部５内側における摺動長さ（移動可能長さ）Ｓ４よりも、第二の家電収納部５外側における摺動長さ（移動可能長さ）Ｓ５が大にされる。
【００２３】
また図３及び図５に示す様に、前記スライド板１７を第二の家電収納部５から外側に引出した状態で、第二の家電収納部５の底板１０の前縁部１０ａと前記スライド板１７の第二の家電収納部５側の縁部１７ａとの間に送り代２２が形成される。
【００２４】
この様にすることによって図３に示す様にスライド板１７上に載置された家電製品１８の蓋２３を全開放した状態でも蓋２３と天板９の開口部側縁部９ａとが干渉することを防止することができ、同時に第二の家電収納部５の高さ方向内寸法を必要最小限に押さえることができる。
【００２５】
図６は本考案の収納家具の構造の他の実施の形態のキッチンボードの正面図である。
また図７はその側部縦断面図である。
キッチンの床Ｆ上に据え置かれる収納家具本体であるキッチンボード２４は、床Ｆ側に下部収納ユニット２５を有し、上方に引出し可能な収納部である上部収納ユニット２６を備える。
【００２６】
下部収納ユニット２５及び上部収納ユニット２６は何れも引出し式とされ、上部収納ユニット２６の側方には家電収納部２７が設けられる。家電収納部２７は底板２８および側板２９及び最奥部の背面板３０によって区画されて形成される。
この家電収納部２７と上部収納ユニット２６とはその天板部分に一連のカウンター３１を有する。
【００２７】
引出し式とされた上部収納ユニット２６の引出し収納部３２の下部左右両側板２９内側面には図４に示す三段引きレール１５が取り付けられ、その左右の三段引きレール１５に、摺動自在に装着した左右のスライド治具１６に引出し３３が取り付けられる。その結果、図７に示す様に、引出し３３は左右の三段引きレール１５におけるスライド治具１６の摺動方向にスライド自在で、各種収納物（図示せず）を収納して引出し収納部３２からキッチンＫ方向へ開口部３４を介してキッチンＫ方向に引出し可能としてある。
各種収納物を引出し収納部３２に収納する際には、引出し３３をキッチンＫ側に引出し、各種収納物を引出し３３内に収納し、引出し３３を引出し収納部３２の内部に押し込むことによって、引出し３３と共に各種収納物を引出し収納部３２に収納することができる。
【００２８】
図７では引出し３３を引出し収納部３２の内部に押し込んだ状態を波線で示し、引出し３３をキッチンＫ側に引出した状態を実線で示す。
引出し３３を引出し収納部３２に収納した状態で、引出し収納部３２のカウンター３１の前縁部３１ａは、引出し３３の前面３３ａと同程度の前方に達する様に、前方に張り出したデザインが採用されており、これによってカウンター３１の上面３１ｂの有効面積を可能な限り大きくし、かつ美感を向上している。
【００２９】
図８（ａ）は引出し３３を引出し収納部３２の内部に押し込んだ状態を示し、図８（ｂ）は引出し３３をキッチンＫ側に引出した状態を示す。
図７及び図８に示す様に、本実施の形態のキッチンボード２４では、引出し３３の引出し収納部３２内側における摺動長さ（移動可能長さ）Ｓ６よりも、引出し収納部３２外側における摺動長さ（移動可能長さ）Ｓ７が大にされる。
【００３０】
また図７及び図８に示す様に、前記引出し３３を引出し収納部３２から外側に引出した状態で、引出し収納部３２の縁部３２ａと引出し３３の引出し収納部３２側の縁部３３ａとの間には送り代３５が形成される。この様にすることによって、引出し３３の奥行方向最奥部領域をカウンター３１の前縁部３１ａより手前に引出すことを可能とし、引出し３３へ収納する物の出し入れをスムーズにすることができる。
【００３１】
これに対し図９に示す従来のキッチンボードでは、引出し３３を引出し収納部３２から外側に引出した状態で、引出し収納部３２の開口部３４と引出し３３と引出し収納部３２との間には送り代は形成されず、図８に示す本実施の形態のキッチンボード２４が備える送り代３５に相当する引出し３３の奥行方向最奥部領域（図上斜線領域として示す）がカウンター３１前縁部３１ａによって遮蔽され、引出し３３の上面が完全には開放されない。その結果、引出し３３に収納する物の出し入れの際に、カウンター３１前縁部３１ａが障害となり不便であり、使用感を損ない利用性が低下する。
【符号の説明】
【００３２】
１，２４・・・キッチンボード、５・・・家電収納部、９・・・天板、１８・・・家電製品、２２，３５・・・送り代、２６・・・上部収納ユニット、３２・・・引出し収納部、３３・・・引出し、３１・・・カウンター、３２ａ，３３ａ・・・縁部。
【図１】
0003159329.tif 000003
【図２】
0003159329.tif 000004
【図３】
0003159329.tif 000005
【図４】
0003159329.tif 000006
【図５】
0003159329.tif 000007
【図６】
0003159329.tif 000008
【図７】
0003159329.tif 000009
【図８】
0003159329.tif 000010
【図９】
0003159329.tif 000011
【図１０】
0003159329.tif 000012
【図１１】
0003159329.tif 000013
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
収納家具本体に固定される第１レールと、その第１レールにスライド自在に装着される第２レールと、その第２レールにスライド自在に装着されると共に収納家具本体から引出し可能な収納部に装着されるスライド治具とからなる三段引きレールによって前記収納部の収納家具本体内側における移動可能長さよりも、収納家具本体外側における移動可能長さが大にされてなることを特徴とする収納家具の構造。
【請求項２】
収納家具本体に固定される第１レールと、その第１レールにスライド自在に装着される第２レールと、その第２レールにスライド自在に装着されると共に収納家具本体から引出し可能な収納部に装着されるスライド治具とからなる三段引きレールによって前記収納部を収納家具本体から外側に引出した状態で、収納家具本体の縁部と収納部の縁部との間に送り代が形成されることを特徴とする収納家具の構造。
【請求項３】
家電収納部の内側から外側に引出し可能なスライド板が設けられ、家電収納部に固定される第１レールと、その第１レールにスライド自在に装着される第２レールと、その第２レールにスライド自在に装着されると共に前記スライド板に装着されるスライド治具とからなる三段引きレールによって前記スライド板の家電収納部内側における移動可能長さよりも、家電収納部外側における移動可能長さが大にされてなることを特徴とする収納家具の構造。
【請求項４】
家電収納部の内側から外側に引出し可能なスライド板が設けられ、家電収納部に固定される第１レールと、その第１レールにスライド自在に装着される第２レールと、その第２レールにスライド自在に装着されると共に前記スライド板に装着されるスライド治具とからなる三段引きレールによって前記スライド板を家電収納部から外側に引出した状態で、家電収納部の開口部縁部とスライド板の家電収納部側の縁部との間に送り代が形成されることを特徴とする収納家具の構造。
【請求項５】
引出し収納部に固定される第１レールと、その第１レールにスライド自在に装着される第２レールと、その第２レールにスライド自在に装着されると共に前記引出し収納部の内側から外側に引出し可能な引出しに装着されるスライド治具とからなる三段引きレールによって前記引出しを引出し収納部から外側に引出した状態で、引出し収納部の開口部縁部と引出しの引出し収納部側の縁部との間に送り代が形成されることを特徴とする収納家具の構造。
【手続補正２】
【補正対象書類名】明細書
【補正対象項目名】０００８
【補正方法】変更
【補正の内容】
【０００８】
本発明の収納家具の構造は、収納家具本体に固定される第１レールと、その第１レールにスライド自在に装着される第２レールと、その第２レールにスライド自在に装着されると共に収納家具本体から引出し可能な収納部に装着されるスライド治具とからなる三段引きレールによって前記収納部の収納家具本体内側における移動可能長さよりも、収納家具本体外側における移動可能長さが大にされてなることを特徴とする。
【手続補正３】
【補正対象書類名】明細書
【補正対象項目名】０００９
【補正方法】変更
【補正の内容】
【０００９】
また本発明の収納家具の構造は、収納家具本体に固定される第１レールと、その第１レールにスライド自在に装着される第２レールと、その第２レールにスライド自在に装着されると共に収納家具本体から引出し可能な収納部に装着されるスライド治具とからなる三段引きレールによって前記収納部を収納家具本体から外側に引出した状態で、収納家具本体の縁部と収納部の縁部との間に送り代が形成されることを特徴とする。
【手続補正４】
【補正対象書類名】明細書
【補正対象項目名】００１０
【補正方法】変更
【補正の内容】
【００１０】
また本発明の収納家具の構造は、家電収納部の内側から外側に引出し可能なスライド板が設けられ、家電収納部に固定される第１レールと、その第１レールにスライド自在に装着される第２レールと、その第２レールにスライド自在に装着されると共に前記スライド板に装着されるスライド治具とからなる三段引きレールによって前記スライド板の家電収納部内側における移動可能長さよりも、家電収納部外側における移動可能長さが大にされてなることを特徴とする。
【手続補正５】
【補正対象書類名】明細書
【補正対象項目名】００１１
【補正方法】変更
【補正の内容】
【００１１】
また本発明の収納家具の構造は、家電収納部の内側から外側に引出し可能なスライド板が設けられ、家電収納部に固定される第１レールと、その第１レールにスライド自在に装着される第２レールと、その第２レールにスライド自在に装着されると共に前記スライド板に装着されるスライド治具とからなる三段引きレールによって前記スライド板を家電収納部から外側に引出した状態で、家電収納部の開口部縁部とスライド板の家電収納部側の縁部との間に送り代が形成されることを特徴とする。
【手続補正６】
【補正対象書類名】明細書
【補正対象項目名】００１２
【補正方法】変更
【補正の内容】
【００１２】
また本発明の収納家具の構造は、引出し収納部に固定される第１レールと、その第１レールにスライド自在に装着される第２レールと、その第２レールにスライド自在に装着されると共に前記引出し収納部の内側から外側に引出し可能な引出しに装着されるスライド治具とからなる三段引きレールによって前記引出しを引出し収納部から外側に引出した状態で、引出し収納部の開口部縁部と引出しの引出し収納部側の縁部との間に送り代が形成されることを特徴とする。